(57)【要約】【課題】  筆記具を握持している手を実質的に動かさずに、筆記状態と収容状態の切り換える動作を、簡単に行うことができるようにする。【解決手段】  軸筒５の内部に、筆記用芯６を収容し、この筆記用芯６の後端に設けたノック後端部７ａを、押圧することにより、前記筆記用芯６の前端６ａを、軸筒５の前端開口５ａから出没させて、筆記状態と収容状態とに切り換えるようにしたノック式筆記体２を、前記軸筒５の前端が外部に臨むように、軸筒ケース３内に摺動自在に収容し、この軸筒ケース３の後端に、前記ノックカム機構７のノック後端部７ａと一体的に連動する操作杆１０を突出させ、かつ、操作杆１０に対して、引手機構１１により相対的に軸方向に移動する引手部４を、軸筒ケース３内から露出させるとともに、この引手部４に対し、軸筒ケース３を軸方向に相対的に動かすことによって、筆記状態と収容状態とに切り換える。【選択図】    図２
2005125589.tif 000002
【特許請求の範囲】
【請求項１】
両端を開口させた軸筒の内部に、筆記用芯を収容し、この筆記用芯における軸方向の後端に設けたノックカム機構のノック後端部を、前記軸筒の後端開口から突出させるとともに、前記ノック後端部を、筆記用芯を後方に付勢するロックばねの付勢力に抗して、前記軸筒の前端側に向けて押圧することにより、前記筆記用芯の前端を、前記軸筒の前端開口から出没させて、筆記状態と収容状態とに切り換えるようにしたノック式筆記体を備え、このノック式筆記体を、前記軸筒の前端が外部に臨むように、軸筒ケース内の軸方向に沿って摺動自在に収容し、この軸筒ケースの後端に、前記ノックカム機構のノック後端部と一体的に連動する操作杆を突出させ、かつ、この操作杆に対して、引手機構により相対的に軸方向に移動する引手部を、前記軸筒ケース内から露出させるとともに、この引手部に対し、前記軸筒ケースを軸方向に相対的に動かすことによって、前記筆記用芯の前端を、前記軸筒の前端開口から出没させるようにしたことを特徴とする筆記具。
【請求項２】
前記引手機構を、前記軸筒の後端外周に設けた、左右両側に係止溝を有する取付部と、この取付部の係止溝に、両端が掛止めされる二股状のクリップピンとで形成し、このクリップピンの頭部を、前記操作杆に設けた挿通孔を通して、前記軸筒ケース内から露出させることにより、引手部としたことを特徴とする請求項１に記載の筆記具。
【請求項３】
前記引手機構を、前記軸筒の後端外周に設けた、左右両側に係止溝を有する取付部と、この取付部の係止溝に、両端が結び止めされる紐とで形成し、この紐を、前記操作杆に設けた挿通孔を通して、前記軸筒ケース内からループ状に露出させることにより、引手部とするとともに、このループ状の紐を首に掛けて、前記軸筒ケースを手で握持し、前記操作杆と共動させて、手を首から離れる方向に動かすことにより、前記紐を張設状態とし、その張力によって、筆記用芯の先端を、前記軸筒の先端開口から出没させるようにしたことを特徴とする請求項１に記載の筆記具。
【請求項４】
両端を開口させた軸筒の内部に、筆記用芯を収容し、この筆記用芯における軸方向の後端に設けたノックカム機構のノック後端部を、前記軸筒の後端開口から突出させるとともに、前記ノック後端部を、筆記用芯を後方に付勢するロックばねの付勢力に抗して、前記軸筒の前端側に向けて押圧することにより、前記筆記用芯の前端を、前記軸筒の前端開口から出没させて、筆記状態と収容状態とに切り換えるようにしたノック式筆記体を備え、このノック式筆記体を、前記軸筒の前端が外部に臨むようにして軸筒ケース内に収容して、前記軸筒を軸筒ケースに固定し、この軸筒ケースの後端開口から操作杆を突出させ、この操作杆と前記ノック後端部とを第１ラックをもって連結するとともに、前記第１ラックにピニオンギヤを介して噛合する第２ラックを設け、かつこの第２ラックに設けた引手部を、前記軸筒ケースの側面に設けた軸線方向の長孔から露出させて引手機構を構成したことを特徴とする筆記具。
【請求項５】
前記引手部に紐を取り付け、この紐を首に掛けて、前記軸筒ケースを手で握持し、前記操作杆と共動させて、手を首から離れる方向に動かすことにより、前記紐を張設状態とし、その張力によって、筆記用芯の先端を、前記軸筒の先端開口から出没させるようにしたことを特徴とする請求項１，２，４のいずれかに記載の筆記具。
【請求項６】
前記筆記用芯を、ボールペン用のインク収容芯としたことを特徴とする請求項１〜５のいずれかに記載の筆記具。
【発明の詳細な説明】
【技術分野】
【０００１】
本発明は、筆記具に関し、引手部を引くことにより、筆記用芯の前端を軸筒から出没させて、筆記状態と収容状態とに切り換えることができる筆記具に関する。
【背景技術】
【０００２】
筆記具においては、例えば特許文献１に開示されているように、ボールペンなどの筆記用芯の先端を、軸筒の後端に突設されたノック部を前方に押圧して、ロータリノック機構とロックばねの作用により、軸筒の前端開口から出没させて、筆記状態と収容状態との切り換えを行なう、ノックカム機構を備えたノック式筆記体からなる形態を有するものが多用されている。
【０００３】
しかし、前記形態の筆記具は、ノック部の操作を行なう際には、筆記具を筆記状態に握持している手を、ノック部を操作し易いように動かして、筆記具を持ち替える必要があった。
【０００４】
そのため、例えば小売店などにおいて棚卸作業等を行なう場合、歩きながら、商品の点検と共に、頻繁にボールペンの筆記状態と収容状態の切り換えを行なうことは、極めて煩雑であった。
【０００５】
【特許文献１】特公昭３４−７１８１号公報（第１図）
【発明の開示】
【発明が解決しようとする課題】
【０００６】
本発明は、筆記具を握持している手を実質的に動かさずに、筆記具を持ち替えることなく、筆記状態と収容状態の切り換える動作を、簡単に行うことができるようにした筆記具を提供することを目的とする。
【課題を解決するための手段】
【０００７】
本発明によると、前記課題は、次の各項に記載の発明に基づいて解決される。
（１）  両端を開口させた軸筒の内部に、筆記用芯を収容し、この筆記用芯における軸方向の後端に設けたノックカム機構のノック後端部を、前記軸筒の後端開口から突出させるとともに、前記ノック後端部を、筆記用芯を後方に付勢するロックばねの付勢力に抗して、前記軸筒の前端側に向けて押圧することにより、前記筆記用芯の前端を、前記軸筒の前端開口から出没させて、筆記状態と収容状態とに切り換えるようにしたノック式筆記体を備え、このノック式筆記体を、前記軸筒の前端が外部に臨むように、軸筒ケース内の軸方向に沿って摺動自在に収容し、この軸筒ケースの後端に、前記ノックカム機構のノック後端部と一体的に連動する操作杆を突出させ、かつ、この操作杆に対して、引手機構により相対的に軸方向に移動する引手部を、前記軸筒ケース内から露出させるとともに、この引手部に対し、前記軸筒ケースを軸方向に相対的に動かすことによって、前記筆記用芯の前端を、前記軸筒の前端開口から出没させるようにした筆記具とする。
【０００８】
（２）  上記（１）項において、前記引手機構を、前記軸筒の後端外周に設けた、左右両側に係止溝を有する取付部と、この取付部の係止溝に、両端が掛止めされる二股状のクリップピンとで形成し、このクリップピンの頭部を、前記操作杆に設けた挿通孔を通して、前記軸筒ケース内から露出させることにより、引手部とする。
【０００９】
（３）  上記（１）項において、前記引手機構を、前記軸筒の後端外周に設けた、左右両側に係止溝を有する取付部と、この取付部の係止溝に、両端が結び止めされる紐とで形成し、この紐を、前記操作杆に設けた挿通孔を通して、前記軸筒ケース内からループ状に露出させることにより、引手部とするとともに、このループ状の紐を首に掛けて、前記軸筒ケースを手で握持し、前記操作杆と共動させて、手を首から離れる方向に動かすことにより、前記紐を張設状態とし、その張力によって、筆記用芯の先端を、前記軸筒の先端開口から出没させるようにする。
【００１０】
（４）  両端を開口させた軸筒の内部に、筆記用芯を収容し、この筆記用芯における軸方向の後端に設けたノックカム機構のノック後端部を、前記軸筒の後端開口から突出させるとともに、前記ノック後端部を、筆記用芯を後方に付勢するロックばねの付勢力に抗して、前記軸筒の前端側に向けて押圧することにより、前記筆記用芯の前端を、前記軸筒の前端開口から出没させて、筆記状態と収容状態とに切り換えるようにしたノック式筆記体を備え、このノック式筆記体を、前記軸筒の前端が外部に臨むようにして軸筒ケース内に収容して、前記軸筒を軸筒ケースに固定し、この軸筒ケースの後端開口から操作杆を突出させ、この操作杆と前記ノック後端部とを第１ラックをもって連結するとともに、前記第１ラックにピニオンギヤを介して噛合する第２ラックを設け、かつこの第２ラックに設けた引手部を、前記軸筒ケースの側面に設けた軸線方向の長孔から露出させて引手機構を構成した筆記具とする。
【００１１】
（５）  上記（１）項、（２）項、（４）項のいずれかにおいて、前記引手部に紐を取り付け、この紐を首に掛けて、前記軸筒ケースを手で握持し、前記操作杆と共動させて、手を首から離れる方向に動かすことにより、前記紐を張設状態とし、その張力によって、筆記用芯の先端を、前記軸筒の先端開口から出没させるようにする。
【００１２】
（６）  上記（１）項〜(５)項のいずれかにおいて、前記筆記用芯を、ボールペン用のインク収容芯とする。
【発明の効果】
【００１３】
本発明の筆記具は、次のような効果が奏せられる。
ａ）  前記（１）項に記載の発明によると、筆記具を握持している手を実質的に動かしたり、筆記具を持ち替えることなく筆記状態と収容状態の切り換える動作を、簡単に行うことができる。
そのため、例えば、引手部に紐を取り付け、この紐を首に掛けて、軸筒ケースまたは軸筒を、筆記時に握持している手を、そのままの状態で、単に首から離れる方向に動かすだけで、前記紐を張設状態とし、その張力によって、引手部を後方へ引っ張り、容易に筆記用芯の筆記状態と収容状態との切り換えを行うことができる。
したがって、小売店などにおける棚卸作業等を行なう場合に、歩きながら、商品の点検と共に、頻繁に筆記用芯を筆記状態と収容状態の切り換えを行なう際に、極めて便利である。
【００１４】
ｂ）  前記（２）項に記載の発明によると、軸筒と引手部との取り付けを容易に行うことができる。
【００１５】
ｃ）  前記（３）項に記載の発明によると、上記（３）項に記載の発明と同様な効果を奏することができる。
【００１６】
ｄ）  前記（４）項に記載の発明によると、前記（２）項及び（３）項に記載の発明と同様な効果を奏することができるとともに、筆記用芯の筆記状態と収容状態との切り換えを、引手部を用いずに、操作片のノック操作によって行うこともできる。
【００１７】
ｅ）  目記（５）項に記載の発明によると、筆記具を持ち替えることなく、筆記用芯を、筆記状態と収容状態とに簡単に切り換えることができ、本発明の効果を、より有効に発揮させることができる。
【００１８】
ｆ）  前記（６）項に記載の発明によると、ボールペンにおいて、本発明の効果を有効に発揮させることができる。
【発明を実施するための最良の形態】
【００１９】
以下、本発明を図面に基づいて詳細に説明する。なお、本実施形態では、筆記具として、ボールペンを例に挙げて説明する。
【実施例１】
【００２０】
図１から図６は、本発明の第１実施形態を示すもので、図１は、筆記状態におけるポールペンの正面図、図２は、図１におけるII−II線縦断面図、図３は、図２におけるIII−III線縦断面図、図４は、図２におけるIV−IV線横断面図、図５は、引手機構の要部分解斜視図、図６は、収容状態におけるポールペンの縦断面図である。
【００２１】
本発明の筆記具である、ボールペン(１)は、図１に示すように、ノック式筆記体(２)と軸筒ケース(３)と引手部(４)とよりなる。
【００２２】
前記ノック式筆記体(２)は、周知のノック押圧式ボールペンと同じである。すなわち、ノック式筆記体(２)は、図２〜図４に示すように、軸方向の両端が開口(5a)(5b)する軸筒(５)と、この軸筒(５)の内部に収容された筆記用芯、つまり、インク収容芯(６)とを備えており、軸筒(５)の前端部(5c)が前記軸筒ケース(３)の前端開口(3a)から外部に臨むように、前記軸筒ケース(３)内の軸方向に沿って摺動自在に収容されている。
【００２３】
前記インク収容芯(６)は、前記特許文献１に開示されているように、従来使用されている周知のノックカム機構、例えば、前記軸筒(５)の後端側に内在させたロータリノック機構(７)と、前記軸筒(５)の前端側に内在させたロックばね(８)との作用により、インク収容芯(６)の前端(6a)を軸筒(５)の前端開口(5a)から出没させて、筆記状態と収容状態との切換えが行なわれるようになっている。
【００２４】
すなわち、前記インク収容芯(６)は、軸筒(５)の後端開口(5b)から突出させたロータリノック機構(７)のロック後端部(7a)を、前記ロックばね(８)の付勢力に抗して、軸筒(５)の前端側に向けて押圧することにより、その前端(6a)が前記軸筒(５)の前端開口(5a)から突出されて、安定的にロックされた筆記状態になり、前記ロック後端部(7a)を、再度、軸筒(５)の前端側に向けて押圧することにより、ロータリノック機構(７)によるロック状態の解除と共に、前記ロックばね(８)の付勢力により、前記前端(6a)が軸筒(５)内に没して、収容状態となる。
【００２５】
前記軸筒ケース(３)の後端開口(3b)には、キャップ(９)が着脱自在に螺合され被冠されており、このキャップ(９)に形成した貫通孔(9a)を通して、前記ロータリノック機構(７)のロック後端部(7a)と一体的に連動するように組み付けられた操作杆(10)が、外部に突出している。この操作杆(10)は、その張出部(10a)の後面(10b)を、前記キャップ(９)の内面(9a)に当接状態とすることにより、後方への移動が規制され、前記軸筒ケース(３)内からの抜け出しを防止するようになっている。
【００２６】
前記軸筒(５)の後端(5d)には、引手部(４)による引手機構(11)が設けられている。この引手機構(11)は、図５に示すように、軸筒(５)の後端(5d)の外周に、圧入状態で一体的に取り付けられた筒状の取付部(12)と、この取付部(12)の左右両側に突出させた係止片(13)(13)にそれぞれ形成したＬ字型の係止溝(13a)(13a)に、先端を鉤状に屈曲させた係止部(14a)(14a)が掛止めされる、二股状のクリップピン(14)とで形成されている。このクリップピン(14)の二股基部がリング状に曲成された頭部(14b)を、前記操作杆(10)に設けた、前端側に向けて扇形に拡開する挿通孔(15)を通して、前記軸筒ケース(３)内から外部へ露出させることにより、引手部(４)が形成されている。
【００２７】
前記軸筒ケース(３)の内周面と軸筒(５)の外周面との間には、図６に示すように、インク収容芯(６)の収容状態において、軸筒(５)を後方に向けて付勢するコイルばね(16)が介装されており、このコイルばね(16)は、そのばね力を前記ロックばね(８)のばね力よりも小さくすることによって、軸筒ケース(３)の軸方向の動きに対して、前記軸筒(５)を定位置に保持するように作用している。これにより、軸筒ケース(３)と引手部(４)との相対的な動きを安定して行うことができる。
【００２８】
前記軸筒ケース(３)の長さは、軸筒(５)の前端部(5a)を除く部分を実質的に被包し得るような程度にしてある。
【００２９】
前記ボールペン(１)を組み立てるには、軸筒ケース(３)の後端のキャップ(９)を取り外して、軸筒ケース(３)の後端開口(3b)から、軸筒(５)の後端に、引手機構(11)を介して、引手部(４)が取り付けられたノック式筆記体(２)を挿入し、軸筒ケース(３)の前端開口(3a)から、軸筒(５)の前端部(5c)が外部に露出するように装着する。
【００３０】
次いで、軸筒ケース(３)の後端にキャップ(９)を螺合して、キャップ(９)の貫通孔(9a)から、操作杆(10)を外部に露出させるようにして被冠するとともに、操作杆(10)の貫通孔(15)から、引手部(４)となるクリップピン(14)の頭部(14b)を露出させて組み付ける。
【００３１】
前記ボールペン(１)のインク収容芯(６)を筆記状態にするには、図６に示す収容状態において、軸筒ケース(３)に対して、引手部(４)となるクリップピン(14)の頭部(14b)を相対的に後方に引っ張ることにより、クリップピン(14)は、図６に実線矢印で示すように、後方に移動し、同時に、クリップピン(14)と一体的に連動する軸筒(５)もまた、軸筒ケース(３)に対して相対的に後方に移動する。この軸筒(５)の軸筒ケース(３)に対する相対的な後方への移動に伴って、ロータリノック機構(７)のロック後端部(7a)が、操作杆(10)における挿通孔(15)の下端にクリップピン(14)を介して当接して移動が規制され、前方に押圧される。
【００３２】
前記ロック後端部(7a)が押圧されることによって、インク収容芯(６)は、ロータリノック機構(７)のカム作用により、前方に移動し、その前端(6a)が、軸筒(５)の前端開口(5a)から突出する。このとき、ロータリノック機構(７)とロックばね(８)の作用により、インク収容芯(６)の位置が安定的にロックされて、筆記状態となる。
【００３３】
この筆記状態から、再び収容状態に戻すには、引手部(４)となるクリップピン(14)を、一旦、軸筒ケース(３)に対して、相対的に後方に引っ張る。この引張りによって、ロータリノック機構(７)におけるロック後端部(7a)は、前記と同様にして前方に押圧され、周知のノック機構の作用によって、インク収容芯(６)を筆記状態に保持するロックが解除されるとともに、インク収容芯(６)は、ロックばね(８)の付勢力によって、軸筒(５)内に収容されて、再び、図６に示す収容状態に復帰する。
【００３４】
引手部(４)となるクリップピン(14)を、軸筒ケース(３)に対して、相対的に後方に引っ張るには、図１に示すように、例えば、クリップピン(14)の頭部(14b)に紐(17)を取り付け、この紐(17)を首に掛けて、軸筒ケース(３)を、手で握持して首から離れる方向に動かすことにより、紐(17)を緊張させて、その張力による作用反作用によって、容易に後方に引っ張ることができる。
【００３５】
なお、本実施形態においては、引手部(４)をクリップピン(14)により形成したが、前記引手機構(11)における取付部(12)の係止溝(13a)(13a)に、図示しない紐の両端を直接結び止めして、この紐を、前記操作杆(10)に設けた挿通孔(15)を通して、軸筒ケース(３)内からループ状に露出させることにより、引手部(４)とすることも可能である。このループ状の紐を首に掛けて、前記軸筒ケース(３)を手で握持し、軸筒ケース(３)を首から離れる方向に動かすことにより、紐を張設状態とし、その張力による作用反作用によって、軸筒(５)を軸筒ケース(３)に対して相対的に後方へ移動させることができる。
【実施例２】
【００３６】
図７は、本発明の筆記具の第２実施形態を示すボールペンにおける引手機構の要部拡大縦断面図である。
【００３７】
本実施形態におけるボールペン(18)は、軸筒ケース(19)に装着されるノック式筆記体(20)における軸筒(21)内のインク収容芯(22)を、筆記状態と収容状態とに切換える、引手機構(23)として、第１実施形態におけるものとは異なる機構を採用したものである。
【００３８】
すなわち、前記引手機構(23)は、軸筒ケース(19)の後端に着脱自在に螺合させたキャップ(24)の貫通孔(24a)を通して外部に露出する操作杆(26)と、前記ノック式筆記体(20)におけるノックカム機構(25)のノック後端部(25a)とを連結する第１ラック(27)と、この第１ラック(27)に対し、左右に対峙させて配置され、第２ラック(28)とを有し、前記第１ラック(27)と第２ラック(28)とは、ピニオンギヤ(29)を介して互いに噛合されている。
【００３９】
前記第１ラック(27)と第２ラック(28)とは、軸筒ケース(19)の左右内側面に形成した、後方が開放するスライド溝(30)(30)に嵌合させて、軸方向にスライド自在になっているとともに、前記ピニオンギヤ(29)は、前記軸筒ケース(19)に支持された軸(31)に軸支されている。
【００４０】
前記第２ラック(28)には、引手部(32)が設けられており、この引手部(32)は、前記軸筒ケース(19)の片側側面に開口形成した、後方が開放する長孔(33)から露出させてある。
【００４１】
前記引手部(32)を、それに設けた孔(32a)に挿通させた紐(34)を用いて、軸筒ケース(19)に対して相対的に後方に移動させることにより、引手部(32)と一体となった第２ラック(28)は後方に移動し、同時に第１ラック(27)は、ピニオンギヤ(29)を介して前方に移動する。
【００４２】
一方、ノック式筆記体(20)における軸筒(21)は、軸筒ケース(19)に固定されている。そのため第１ラック(27)が前方に移動すると、前記第１ラック(27)の下端が、ノックカム機構(25)におけるノック後端部(25a)に当接して一体的に連動するようになっているため、ノック後端部(25a)が前方に押圧されて、インク収容芯(22)は、その前端がロータリノック機構(25)の作用により、軸筒(21)の前端開口より突出して筆記状態となる。
【００４３】
筆記状態から収容状態に切換えるには、再度、引手部(32)を後方に移動させることにより、ロータリノック機構(25)の作用により収容状態となる。また、引手部(32)を用いずに、前記操作杆(26)を、図７に点線矢印で示すように、前方に押圧することにより、ノック式筆記体(20)におけるインク収容芯(22)を、筆記状態と収容状態とに切換えることもできる。
【産業上の利用可能性】
【００４４】
本発明に係る筆記具は、ボールペンに限らず、シャープペン等の他のノック式筆記具にも適用できる。
【図面の簡単な説明】
【００４５】
【図１】本発明に係る筆記具の第１実施形態をボールペンに適用して示す筆記状態における正面図である。（実施例１）
【図２】図１におけるII−II線縦断面図である。
【図３】図２におけるIII−III線縦断面図である。
【図４】図２におけるIV−IV線横断面図である。
【図５】引手機構の要部分解斜視図である。
【図６】収容状態におけるポールペンの縦断面図である。
【図７】本発明の第２実施形態を示すボールペンにおける引手機構の要部拡大縦断面図である。（実施例２）
【符号の説明】
【００４６】
(１)    ボールペン(筆記具)
(２)    ノック式筆記体
(３)    軸筒ケース
(3a)    前端開口
(3b)    後端開口
(４)    引手部
(５)    軸筒
(5a)    前端開口
(5b)    後端開口
(5c)    前端部
(5d)    後端
(６)    インク収容芯(筆記用芯)
(6a)    前端
(７)    ロータリノック機構(ノックカム機構) 
(7a)    ノック後端部
(８)    ロックばね
(９)    キャップ
(9a)    内面
(9b)    貫通孔
(10)    操作杆
(10a)   張出部
(10b)   後面
(11)    引手機構
(12)    取付部
(13)    係止片
(13a)   係止溝
(14)    クリップピン
(14a)   係止部
(14b)   頭部
(15)    挿通孔
(16)    コイルばね
(17)    紐
(18)    ボールペン(筆記具) 
(19)    軸筒ケース
(20)    ノック式筆記体
(21)    軸筒
(22)    インク収容芯(筆記用芯) 
(23)    引手機構
(24)    キャップ
(24a)   貫通孔
(25)    ロータリノック機構(ノックカム機構) 
(25a)   ノック後端部
(26)    操作杆
(27)    第１ラック
(28)    第２ラック
(29)    ピニオンギヤ
(30)    スライド溝
(31)    軸
(32)    引手部
(32a)   孔
(33)    長孔
(34)    紐
【図１】
2005125589.tif 000003
【図２】
2005125589.tif 000004
【図３】
2005125589.tif 000005
【図４】
2005125589.tif 000006
【図５】
2005125589.tif 000007
【図６】
2005125589.tif 000008
【図７】
2005125589.tif 000009